(57)【特許請求の範囲】
【請求項１】
着用者による着用時の曇りを防止する保護眼鏡であって、
着用者の顔を横断し、前面と、後面と、橋梁部によって連結される１対の中間部と、着用者のこめかみ近傍に配置される１対の端部とを有するフレーム前部と、
前記フレーム前部の前記中間部のそれぞれに取り付けられるとともに着用者の眼を覆うように配置され、前表面と後表面とを有する１対のレンズと、
前記端部にそれぞれ前方に向けて設けられた１対の端部孔と、
前記フレーム前部の前記橋梁部に前方に向けて設けられた少なくとも１個の橋梁部孔とを備え、前記前方に向けて設けられた前記一対の端部孔と前方に向けて設けられる前記少なくとも１個の橋梁部孔はそれぞれ、着用者の視界の前方ラインにほぼ平行な中心軸を定義し、外側の空気を引き込んで着用者の眼と前記レンズ各々の後表面との間の空間の気圧を低下させ、着用者の眼と前記レンズ各々の後表面との間で空気を循環させることによって前記レンズの曇りを防止するための換気通路を形成し、
前記一対の端部孔及び前記少なくとも１個の橋梁部孔のそれぞれによって形成される前記換気通路は前記レンズの曇りを防止するために各レンズの前記後表面に沿った前記橋梁部孔から各端部に向かう空気の流れを促すような大きさ及び形状に構成されている保護眼鏡。
【請求項２】
前記端部孔のそれぞれによって形成される前記換気通路は、フレーム前部の前記前面に位置する前端と、フレーム前部の前記後面に位置する後端と、該前端と該後端との間に位置する中央部とを有し、前記端部孔によって形成される換気通路の前記前端はフレーム前部を通じた空気の層流を促すためにフレーム前部に形成される１対の傾斜部によって部分的に形成される請求項１に記載の保護眼鏡。
【請求項３】
前記端部孔によって形成される換気通路のそれぞれの前記前端はフレーム前部を通じた空気の層流を促すためにフレーム前部に形成される丸みを帯びた角部によって部分的に形成される請求項２に記載の保護眼鏡。
【請求項４】
前記少なくとも１個の橋梁部孔はフレーム前部の前記橋梁部に設けられる１対の橋梁部孔を含む請求項１に記載の保護眼鏡。
【請求項５】
前記橋梁部孔によって形成される換気通路のそれぞれは、フレーム前部の前記前面に位置する前端と、フレーム前部の前記後面に位置する後端と、該前端と該後端との間に位置する中央部とを有し、前記橋梁部孔によって形成される換気通路のそれぞれの前記前端はフレーム前部を通じた空気の層流を促すため、フレーム前部に形成された丸みを帯びた角部によって部分的に形成される請求項４に記載の保護眼鏡。
【請求項６】
前記端部孔はそれぞれ、前記フレーム前部の前記端部に形成された細長の垂直方向スロットを含む請求項１に記載の保護眼鏡。
【請求項７】
前記端部孔は該端部孔を通過した破片が着用者の眼に入ることを防止するために着用者の眼を越えて外側に配置される請求項１に記載の保護眼鏡。
【請求項８】
前記フレーム前部に回動可能に連結された１対の細長の蔓部材を更に備え、該蔓部材はそれぞれ、
前記フレーム前部の前記端部のそれぞれに回動可能に連結され、内側面と外側面とを備える台尻部と、
柄部と、
眼鏡を着用者の顔に対して所定の位置に保持するために着用者の耳の一方に掛けられるような大きさ及び形状に構成された耳掛け部とを備える請求項１に記載の保護眼鏡。
【請求項９】
フレーム前部の前記端部はそれぞれ後縁部を有し、蔓部材の前記台尻部の幅は、端部の前記後縁部の幅にほぼ等しい請求項８に記載の保護眼鏡。
【請求項１０】
前記蔓部材の前記台尻部の幅は蔓部材の前記柄部の幅よりも大きい請求項９に記載の保護眼鏡。
【請求項１１】
前記蔓部材の前記柄部の幅は蔓部材の前記耳掛け部の幅よりも大きい請求項１０に記載の保護眼鏡。
【請求項１２】
フレーム前部の前記前面と蔓部材の台尻部の前記外側面とは互いにほぼ同一面上にある請求項８に記載の保護眼鏡。
【請求項１３】
フレーム前部の前記後面と蔓部材の台尻部の前記内側面とは互いにほぼ同一面上にある請求項８に記載の保護眼鏡。
【請求項１４】
各蔓部材の耳掛け部は下方に折曲された形状を有する請求項８に記載の保護眼鏡。
【請求項１５】
各蔓部材は更に、
台尻部の前記内側面に設けられ、フレーム前部に設けられた前記端部孔により形成される換気通路に連通する細長の換気スロットを備え、
前記換気スロットは、蔓部材に沿い前記換気通路を通じた空気の層流を促すような大きさ及び形状に構成された請求項８に記載の保護眼鏡。
【請求項１６】
前記換気スロットは蔓部材の前記柄部に近づくにしたがって幅及び奥行きが漸減する請求項１５に記載の保護眼鏡。
【請求項１７】
フレーム前部の前記中間部は円弧状に形成され該フレーム前部を回り込む空気流が促される請求項１に記載の保護眼鏡。
【請求項１８】
フレーム前部の前記端部の高さは前記レンズの最大の高さの少なくとも半分である請求項１に記載の保護眼鏡。
【請求項１９】
フレーム前部及びレンズはほぼ凹状をなし着用者の眼の周囲への眼鏡の巻着状態が向上して着用者の顔に沿った空気の層流が生じ易くなる請求項１に記載の保護眼鏡。
【請求項２０】
前記レンズは暗色に着色されている請求項１に記載の保護眼鏡。
【請求項２１】
着用者による着用時の曇りが防止された保護眼鏡であって、
着用者の顔を横断し、前面と、後面と、着用者の眼にわたって延びる少なくとも１つの中間部と、着用者のこめかみ近傍に配置される１対の端部とを有するフレーム前部と、
前記フレーム前部の前記中間部に取り付けられるとともに着用者の眼を覆うように配置され、前表面と後表面とを有する少なくとも１枚のレンズと、
前記フレーム前部の前記端部に設けられる１対の端部孔であって、前方に向けて設けられるとともに、それぞれ着用者の視界の前方ラインにほぼ平行な中心軸を定義し、外側の空気を引き込んで着用者の眼と前記レンズの後表面との間の空間の気圧を低下させ、着用者の眼と前記レンズの後表面との間で空気を循環させることによって前記レンズの曇りを防止するための換気通路を形成する前記端部孔とを備え、
前記端部孔によって形成される前記換気通路は前記レンズの曇りを防止するためにレンズの前記後表面に沿ってそれぞれの前記端部孔に向かう空気の流れを促すような大きさ及び形状に構成されている保護眼鏡。
【請求項２２】
前記フレーム前部は、橋梁部によって連結される１対の中間部を有し、前記眼鏡は該中間部のそれぞれに取り付けられる１対のレンズを備える請求項２１に記載の保護眼鏡。
【請求項２３】
フレーム前部の前記橋梁部に設けられた１対の橋梁部孔を更に有する請求項２２に記載の保護眼鏡。
【請求項２４】
前記端部孔及び前記橋梁部孔によって形成される換気通路はそれぞれ、フレーム前部の前記前面に位置する前端と、フレーム前部の前記後面に位置する後端と、該前端と該後端との間に位置する中央部とを有し、前記換気通路のそれぞれの前記前端はフレーム前部を通じた空気の層流を促すため、フレーム前部に形成された丸みを帯びた角部によって部分的に形成される請求項２３に記載の保護眼鏡。
【請求項２５】
前記端部孔によって形成される換気通路はそれぞれ、フレーム前部の前記前面に位置する前端と、フレーム前部の前記後面に位置する後端と、該前端と該後端との間に位置する中央部とを有し、換気通路のそれぞれの前記前端はフレーム前部を通じた空気の層流を促すため、フレーム前部に形成された１対の傾斜部によって部分的に形成される請求項２３に記載の保護眼鏡。
【請求項２６】
前記フレーム前部に回動可能に連結された１対の細長の蔓部材を更に備え、該蔓部材はそれぞれ、
前記フレーム前部の前記端部のそれぞれに回動可能に連結され、内側面と外側面とを備える台尻部と、
柄部と、
眼鏡を着用者の顔に対して所定の位置に保持するために着用者の耳の一方に掛けられるような大きさ及び形状に構成された耳掛け部とを備える請求項２１に記載の保護眼鏡。
【請求項２７】
各蔓部材は更に、
台尻部の前記内側面に設けられ、フレーム前部に設けられた前記端部孔により形成される換気通路に連通する細長の換気スロットを備え、
前記換気スロットは、蔓部材に沿い前記換気通路を通じた空気の層流を促すような大きさ及び形状に構成された請求項２６に記載の保護眼鏡。
【請求項２８】
前記換気スロットは蔓部材の前記柄部に近づくにしたがって幅及び奥行きが漸減する請求項２７に記載の保護眼鏡。
【発明の詳細な説明】
発明の分野
本発明は１９９５年１１月２８日に出願された、発明の名称が、「換気通路を備えた曇り止めサングラス」である米国特許第０８／５６５，６２３号の一部継続出願である。
本発明は一般的に保護眼鏡に関し、より詳細には、レンズの後方における空気循環を促すことによりレンズの曇りを最小に抑えるかまたは防止するための換気通路を備えたサングラスに関する。
発明の背景
着色レンズを有するアイウェアや眼鏡（例、サングラス）は様々なスポーツや他の活動において、参加者の眼を保護するために普通に用いられている。眼の保護が特に必要とされるのはスポーツその他の活動が、防護されていない高速の移動を伴う場合で、眼は移動速度と同じ速度でぶつかる異物小粒子に曝されることになる。眼の保護が推奨されるスポーツ活動の例として、スキー滑降、スノーモービル、サイクリング、ジェットスキー、オートバイレース等があり、雪、水、埃、昆虫、石礫などから参加者の眼を保護する必要がある。
上記の活動に関連して保護眼鏡が使用される場合にしばしば生じる問題としてよく知られるものに、曇りやかすみといったレンズの内面への水分の凝縮の問題がある。この曇りの問題は、眼鏡の着用者が暖かいかあるいは発汗していて、周辺環境が冷たいか、湿気がある場合に殊に顕著である。レンズの曇りは着用者の視界を妨げ、危険な状態を生ずる。
従来技術において曇りの問題は以前から認識されており、曇りを防止するための幾つかの解決策が提案されてきた。具体的には、従来技術において、厚みを増した一枚のレンズから構成される熱レンズがある。熱レンズの大きな厚みは、冷たい空気に曝されるレンズの外表面を暖かい空気に曝されるレンズの内表面から隔離するうえで機能する。従来技術においてはまた、空気によって満たされた空間によって隔てられた２枚のレンズから成る２重ガラスレンズがある。２重ガラスレンズはやはり眼鏡の最も内側の面と最も外側の面とを隔離するうえで機能する。しかし従来の熱レンズや２重ガラスでは眼鏡が嵩張り、かつ重くなるため、着用するうえで快適とはいえずスポーツ活動における使用には向かない。
従来技術においてまた、レンズの内面に生じるかすみや曇りを直ちに凝縮、または吸収する目的で眼鏡の内面に施される様々なコーティングが知られている。しかしこうしたコーティングでは、眼鏡の内面をなんらかの方法で定期的に乾燥させる必要があり、非常に限られた時間においてしか効果がない。
従来技術において、眼鏡のレンズの曇りやかすみを防止するための最も有効な方法は、レンズの後方の空気循環を向上させ、暖かく湿った空気を排気して、冷たく乾燥した空気で置換するというものである。こうした空気交換を促進するため、従来技術では着用者が携帯する携帯用電池を動力源とする小型のファンを備えた眼鏡が開発された。しかし、小型のファンを備えたこうした眼鏡は、製造するうえで非常に複雑でコストが嵩み、また大きさも嵩張って重たいものとなっている。従来技術においてまた、レンズを包囲するようにフレームの周縁の異なる位置に換気孔を設けた眼鏡が開発された。しかし、これらの従来技術に基づく眼鏡では、換気孔の特定の配置や向きのために換気孔を通じた空気流が過剰となったり不足したりすることが一般的である。換気孔を通じた空気流が不十分である場合、フレームに換気孔を設けてもレンズの曇りを防止する目的では効果がほとんど見られない。また逆に、換気孔を通じた空気流が過剰である場合には、圧力が高くなったり、着用者の眼に不快なくらいに強い「風」が当たる。更に、従来の眼鏡に設けられた換気孔はしばしば、埃などの異物を着用者の眼へと通過させるような大きさ、配置に構成されている。
上記の点を鑑み、着用者の眼を安全かつ適当に保護し、曇りが生じない眼鏡が必要とされている。こうした眼鏡は構造が簡単で、製造コストが低く抑えられるとともに、スポーツ活動への着用者の参加を妨げることのないよう軽量でなくてはならない。
発明の概要
本発明に基づけば着用者による着用時の曇りが防止されるように構成された保護眼鏡が提供される。眼鏡は、着用者の顔を横断し、前面と後面とを有するフレーム前部を備える。フレーム前部は更に、着用者の眼にわたって延びる１対の中間部分と、着用者のこめかみ近傍に配置される１対の端部とを有する。フレーム前部の中間部分には、着用者の眼を覆うように配置され、前表面と後表面とを有する１対のレンズが取り付けられる。更に、フレーム前部の端部のそれぞれには、前方に向けて設けられるとともに、フレーム前部を通じ、レンズに沿った空気の流れを促すための換気通路を形成する１対の端部孔が形成される。端部孔によって形成される換気通路はレンズの曇りを防止するためにレンズの後表面に沿った空気の循環を促すような大きさ及び形状に構成されている。
好ましい実施形態においては、フレーム前部の中間部は１対の橋梁部孔が設けられた橋梁部によって互いに一体に連結されている。眼鏡の橋梁部孔はフレーム前部に更なる換気通路を形成する。端部孔及び橋梁部孔によって形成される換気通路のそれぞれは、フレーム前部の前面に位置する前端と、フレーム前部の後面に位置する後端と、該前端と該後端との間に位置する中央部とを有する。換気通路のそれぞれの前記前端はフレーム前部を通じた空気の層流を促すため、フレーム前部に形成された丸みを帯びた角部によって一部が形成される。更に、端部孔によって形成されるこれらの換気通路の前端はフレーム前部を通じた空気の層流を更に促すため、フレーム前部に形成された１対の傾斜部によって一部が形成される。
本発明に基づく眼鏡においては、端部孔はそれぞれ、フレーム前部の端部に形成された細長の垂直方向スロットを含む。更に、端部孔のそれぞれは着用者の視界の前方ラインにほぼ平行な中心軸を有するとともに端部孔を通過した破片が着用者の眼に入ることを防止するために着用者の眼を越えて外側に配置される。
本発明に基づいて構成された眼鏡は、フレーム前部に回動可能に連結された１対の細長の蔓部材を更に備える。蔓部材はそれぞれ、フレーム前部の前記端部のそれぞれに回動可能に連結され、内側面と外側面とを備える台尻部を有する。台尻部は小さい幅を有する柄部に連続し、柄部は小さい幅を有する下方に折曲された耳掛け部に連続する。各耳掛け部は、眼鏡を着用者の顔に対して所定の位置に保持するために着用者の耳の一方に掛けられるような大きさ及び形状に構成されている。蔓部材の台尻部の最大幅は、台尻部が回動可能に連結される端部の後縁部の幅にほぼ等しい。更に、フレーム前部の前面と蔓部材の台尻部の外側面とは互いにほぼ同一面上にあり、同様に台尻部の内側面とフレーム前部の後面とは互いにほぼ同一平面上にある。
好ましい実施形態において、各蔓部材は更に、台尻部の内側面に設けられ、フレーム前部に設けられた端部孔により形成される換気通路に連通する細長の換気スロットを備える。換気スロットは、蔓部材に沿い換気通路を通じた空気の層流を促すような大きさ及び形状に構成されている。換気スロットは蔓部材の柄部に近づくにしたがって幅及び奥行きが漸減する。
好ましい実施形態において、フレーム前部の中間部は円弧状に形成されフレーム前部を回り込む空気流が促される。更に、フレーム前部及びレンズはほぼ凹状をなし、着用者の眼の周囲への眼鏡の巻着状態が向上して着用者の顔に沿った空気の層流が生じ易くなる。フレーム前部の端部の高さはレンズの最大の高さの少なくとも半分であり、レンズは暗色に着色されるとともに物にぶつかった場合に不用意に割れることを防止するだけの充分な厚さを有することが好ましい。レンズは透明なものを使用するか、あるいは紫外線照射に曝された場合に暗くなる材料にて形成することも可能である。
【図面の簡単な説明】
本発明の上記及び他の特徴は以下の図面を参照することでより明らかとなろう。
図１は、空気が循環する様子を示した本発明に基づく眼鏡の部分前方斜視図。
図２は、空気が循環する様子を示す、図１の構成を２−２線にて切った本発明に基づく眼鏡の部分後方斜視図。
図３は、空気が循環する様子を示した本発明に基づく眼鏡の部分正面図。
図４は、本発明に基づく眼鏡を通じて空気が循環する様子を更に示す、図３の構成の４−４線に沿った部分断面図。
好ましい実施態様の詳細な説明
ここで図面を参照するが、図に示された構成はあくまで本発明の好ましい実施形態を示すことを目的としたものであり、本発明の限定を目的とするものではない。図１及び図２は本発明に基づいて構成された保護眼鏡１０を斜視図にて示したものである。以下により詳しく述べるが本発明の眼鏡１０は曇りを防止するように特に構成されたものである。更に、図１〜４に示されるように眼鏡１０は好ましくはサングラスである。しかし、当業者によれば、本発明はゴーグルや単一の一体型レンズを備えた眼鏡などの他の種類の眼鏡、アイウェアに対しても適用されることは認識されよう。図１〜４をここで参照する。本発明の眼鏡１０はフレーム前部１２を有する。フレーム前部１２は、着用者による眼鏡１０の着用時において着用者の顔を横切るような大きさ、形状に構成されている。フレーム前部１２は、前面１４、後面１６、１対の中間部１８、及び１対の端部２０を備える。２つの中間部１８は、フレーム前部１２の橋梁部２２を介して互いに連結され、それぞれ眼鏡１０のレンズ２４を保持する。着用者による眼鏡１０の着用時には、中間部１８が着用者の両眼にわたって延びる。レンズ２４は中間部１８内に保持されるため着用者の眼を覆って配置されることになる。端部２０は着用者のこめかみに接して配置され、それぞれ後縁部２６を有する。後縁部２６の機能については後述する。
好ましい実施形態において、眼鏡１０のフレーム前部１２は更に１対の端部孔２８を備える。２つの端部孔２８は端部２０のそれぞれに設けられる。端部孔２８はそれぞれ、フレーム前部１２の前面１４に位置する前端３０、フレーム前部１２の後面１６に位置する後端３２、及び前端３０と後端３２との間に位置する中央部を有する。
図１〜４に示されるように、端部孔２８はそれぞれ、細長かつ垂直方向に形成されたスロットを有する。スロットにより眼鏡１０の着用者の視界の前方ラインに対してほぼ平行に延びる中心軸が定義される。図４に最も分かりやすく示されるように、各端部孔２８の前端３０は、殊にその長手方向の辺縁部においてフレーム前部１２に設けられる、丸みを帯びた角部３４として形成されている。更に、図１及び図３に見られるように、各端部孔２８の側面は上側の傾斜面である上部傾斜部３６と、下側の傾斜面である下部傾斜部３８として形成されている。フレーム前部１２に上部傾斜部３６及び下部傾斜部３８を設けることにより端部孔２８の断面積はフレーム前部１２に形成された後端３２に近づくにしたがって漸減する。更に、端部孔２８が、丸みを帯びた角部３４と、上部及び下部傾斜部３６、３８とを備えることにより端部孔２８を通じた層流が生じ易くなっているが、この理由については後述する。
端部孔２８に加え、フレーム前部１２の橋梁部２２には互いに間隔をおいた１対の橋梁部孔４０が設けられている。各橋梁部孔４０はほぼ三角形状をなす。端部孔２８と同様、橋梁部孔４０はそれぞれ、前端４２、後端４４、及び前端４２と後端４４との間に位置する中央部を有する。好ましい実施形態において、各橋梁部孔４０の前端４２及び後端４４はフレーム前部に設けられた丸みを帯びた角部４６として形成され、これにより橋梁部孔４０を通じた空気の層流が生じ易くなっている。
本発明の眼鏡１０においては、前述の端部孔２８及び橋梁部孔４０は、フレーム前部１２を通じレンズ２４の近傍を流れる空気流を促すための換気通路を形成する。詳細については後述するが、端部孔２８及び橋梁部孔４０によって形成される換気通路は、レンズ２４の曇りを防止するためのレンズ２４の背面２４ａに沿った空気の循環を促すような大きさ、形状に構成されている。
図１、図２、及び図４を参照すると、本発明の眼鏡１０は、互いに同じ形状を有する１対の細長の蔓部材４８を更に備える。蔓部材４８はフレーム前部１２に回動可能に連結される。より詳しくは、蔓部材４８は端部２０の後縁部２６において連結される。蔓部材４８は、端部２０の後縁部２６に回動可能に連結される台尻部５０をそれぞれ有する。好ましい実施形態では、台尻部５０の最大幅は台尻部が回動可能に連結される後縁部２６の幅にほぼ等しくなっている。更に、図２及び図４に最も分かりやすく示されているが、台尻部５０が端部２０の後縁部２６に回動可能に連結される際、台尻部５０の外側表面とフレーム前部１２の前面１４とは互いにほぼ面一となり、台尻部５０の内側表面とフレーム前部１２の後面１６とは互いにほぼ面一となる。各蔓部材４８の台尻部５０は幅の小さい柄部５２へと連続する。蔓部材４８の柄部５２は幅の小さい耳掛け部５４へと連続する。耳掛け部５４は下方に折曲された形状をなし、眼鏡１０が着用者の顔の所定の位置に保持されるよう、着用者の耳の一方に掛けられるような大きさ、形状に構成されている。
図２及び図４に最も分かりやすく示されるように、各蔓部材４８の台尻部５０の内側表面には細長の換気スロット５６が設けられる。換気スロット５６は、蔓部材４８が後縁部２６に回動可能に連結される際に、フレーム前部１２に設けられた端部孔２８によって形成される換気通路に連通する。換気スロット５６はそれぞれほぼ三角形状をなし、蔓部材４８の柄部５２に近づくにしたがってその幅及び深さは漸減する。詳細はやはり後述するが、換気スロット５６の大きさ及び形状は、換気通路を通じ蔓部材４８に沿って流れる空気の層流が生じ易くなるよう、端部孔２８と協働するように構成されている。
図４に最も分かりやすく示されるが、好ましい実施形態においては、フレーム前部１２及びフレーム前部に保持されるレンズ２４はいずれも円弧状の、ほぼ凹型の形状をなし、着用時に着用者の両眼及び頭部に巻着されるという眼鏡１０の効果が得られる。巻着効果に加え、フレーム前部１２及びレンズ２４円弧状の外形により、フレーム前部１２の中間部１８に沿った、レンズ２４の背面２４ａと着用者の眼との間の空間への空気流、及び、着用者の顔面に沿った空気の層流が生じ易くなる。眼鏡１０の流線形状を更に向上させるため、フレーム前部１２の端部２８はレンズ２４の最大の高さの少なくとも半分の高さを有することが好ましい。
着用者による眼鏡１０の着用時には、フレーム前部１２の橋梁部２２は着用者の鼻梁に掛けられ、中間部１８の下側の縁は着用者の頬の眼の近傍の部分に通常当接する。更に、蔓部材４８の下方に折曲せられた耳掛け部５４は着用者の耳のそれぞれに掛けられる。上述したように、眼鏡１０が適当に着用されている場合、レンズ２４の背面２４ａと着用者の眼との間に空気によって満たされる空間が形成される。
好ましい実施形態においては、フレーム前部１２及び蔓部材４８は軽量の破片飛散防止プラスチック材料から形成される。レンズ２４は暗色に着色されているか、異なる明るさのレベルに応じて変化する着色を有する材料から形成されることが好ましい。当業者によればレンズ２４は様々な異なる材料にて形成することが可能であり、着色されていない透明な材料を用いることも可能であることは了解されよう。しかし、レンズ２４は不注意で物がぶつかった場合にレンズが砕けることを防止するだけの充分な厚さを有するように形成することも考えられる。この場合、フレーム前部１２は、端部２０に設けられた端部孔２８が着用者の眼に対して外側に向けられることにより、端部孔２８によって形成される換気通路を通過する破片が着用者の眼に直接入ることのないように構成される。
以上眼鏡１０の構成要素について述べてきたが、ここで眼鏡１０の曇りが防止される機構について図１〜４に示される矢印に基づいて説明する。上述したように、眼鏡１０が適当に着用されている場合、レンズ２４の背面２４ａと着用者の眼との間に空間が形成される。これらの空間は、中間部１８の下側の縁が着用者の頬に対して接触し、橋梁部２２が着用者の鼻梁に対して接触することにより部分的に形成される。着用者がスポーツ活動を行う際には着用者の身体は運動により熱を発生し、着用者の呼吸により暖かくて湿った空気が眼鏡１０の付近に放出される。着用者の体温の上昇及びそれによる発汗により着用者の眼とレンズ２４の背面２４ａとの間の空間内の空気の温度及び湿度が上昇する。レンズ２４の後方の空間において温度及び湿度が上昇していることにより、レンズ２４の前面に存在する冷たくて乾燥した空気と組み合わされるとレンズ２４の背面２４ａに水分が凝縮し、レンズ２４の「曇り」を生じる。
眼鏡１０の着用者が比較的冷たくて乾燥した空気中を比較的高速で移動する場合、端部孔２８と橋梁部孔４０とによって形成される換気通路を通じて冷たい外側の空気が流れる。より詳しくは、図１及び図４に示されるように、空気は矢印５８にて示される方向に沿って端部孔２８から流入し、矢印６０にて示される方向に沿って橋梁部孔４０から流入する。端部孔２８を通じて流入した空気は矢印６２にて示される方向に沿って換気スロット５６のそれぞれを通じて流れる。レンズ２４の背面２４ａと着用者の眼との間の空間内の空気は矢印６２にて示される空気流に引き込まれ、これにより、この空間に橋梁部孔４０から流入する空気はレンズ２４のそれぞれの背面２４ａに沿って矢印６４にて示される方向に流れる。更に、フレーム前部１２の流線形状により空気は中間部１８の上側の縁からレンズ２４の背面２４ａに沿って矢印６６にて示される方向にも流れる。換気スロット５６の形状のため空間内を背面２４ａに沿って外側に流れる空気は端部孔２８から換気スロット５６へと流れる空気に合流し、この合流した空気は蔓部材４８のそれぞれに沿って図２において矢印６８にて示される方向に最終的に流れる。レンズ２４と着用者の眼との間の空間内の空気が端部孔２８及び換気スロット５６を通じた流れに引き込まれることにより、空間内の気圧は効果的に低下するため、上述の要領で橋梁部孔４０から空間内に流入し、中間部１８の上側の縁を越えてレンズ２４の背面２４ａに沿って空間内に流入する空気の循環が促される。空間内の暖かくて湿った空気が冷たくて乾燥した空気に置換され、この冷たくて乾燥した空気がレンズ２４の背面２４ａに沿って流れることによりレンズ２４への水分の凝縮（曇り）が防止される。このようにしてレンズ２４の曇りは低減または防止されるが、眼鏡１０は軽量であり製造コストも比較的安価である。図に示されてはいないが、端部孔２８及び／または橋梁部孔４０の中央部を孔の前端及び後端よりも狭く形成することが可能である。この構成では端部孔２８及び橋梁部孔４０はそれぞれ「砂時計」状の形状を有する。端部孔２８及び橋梁部孔４０のこうした形状により、孔を通じた空気流において「ベンチュリ」効果が得られる。「ベンチュリ管」は中間部が狭窄し、両端部がフレア形、つまり拡幅した管として一般的に定義される。ベンチュリ効果は、ベンチュリ管の狭窄部において、流体の流率は増大し、圧力は減少するというベルヌイの法則に基づくものである。端部孔２８及び／または橋梁部孔４０によって形成される換気通路において生じるこうしたベンチュリ効果を利用してレンズ２４の後方における空気の循環を更に促進することも可能である。
本発明の更なる変更及び改良も当業者には自明である。したがってここに図示、説明した要素の特定の組合わせは本発明の一実施形態のみを示すものであり、発明の精神及び範囲内の別の構成を限定することを目的とするものではない。
【図１】
0004302190.tif 000002
【図２】
0004302190.tif 000003
【図３】
0004302190.tif 000004
【図４】
0004302190.tif 000005